(57)【要約】【課題】フロートの誤動作を防止する。【解決手段】水位検出装置１０は、貯水タンク７２０内に設けた軸受部７２１Ａ，７２１Ｂと、軸受部７２１Ａ，７２１Ｂに回動可能に配置された軸部７３５Ａ，７３５Ｂを有するフロート７３０と、フロート７３０の回動により水位を検出する検出手段７６０とを備える。フロート７３０の本体７３１は、水位の上昇に従って軸部７３５Ａ，７３５Ｂを中心に基準姿勢から第１回動方向Ｃ１に回動する。軸部７３５Ａ，７３５Ｂは、基準姿勢で逆向きの第２回動方向Ｃ２に回動するように本体７３１から突設されている。また、本体７３１は、貯水タンク７２０に取り付けた基準姿勢で下端７３１ａの縁が貯留された水の水面と平行に位置する。機器本体１００、貯水タンク７２１、及びフロート７３０のうち少なくとも１つには、フロート７３０の本体７３１が第２回動方向Ｃ２へ回動することを規制する規制部７５０，７５１を設けている。【選択図】図１０
2016095239.tif 000002
【特許請求の範囲】
【請求項１】
機器本体に設けた貯水タンク内の水位を検出する水位検出装置であって、
前記貯水タンク内に設けた軸受部と、
前記軸受部に回動可能に配置された軸部と、前記貯水タンク内の水位の上昇に従って前記軸部を中心に基準姿勢から第１回動方向に回動する本体とを有するフロートと、
前記フロートの前記第１回動方向への回動により前記貯水タンク内の水位を検出する検出手段とを備え、
前記フロートの前記軸部は、前記基準姿勢で前記第１回動方向と逆向きの第２回動方向に回動するように前記本体から突設されるとともに、前記フロートの前記本体は、前記貯水タンクに取り付けた前記基準姿勢で下端縁が前記貯水タンク内に貯留された水の水面と平行に位置するように設けられ、
前記機器本体、前記貯水タンク、及び前記フロートのうち少なくとも１つに、前記フロートの前記本体が前記基準姿勢から前記第２回動方向へ回動することを規制する規制部が設けられている、水位検出装置。
【請求項２】
前記規制部は、前記貯水タンクに設けた規制壁である、請求項１に記載の水位検出装置。
【請求項３】
前記規制壁は、前記軸受部に一体に設けられている、請求項２に記載の水位検出装置。
【請求項４】
前記規制部は、前記フロートの前記軸部に設けられた係止部と、前記軸受部に設けられ前記基準姿勢で前記係止部に係止する係止受部とを有する、請求項１乃至請求項３のいずれか１項に記載の水位検出装置。
【請求項５】
前記フロートの前記軸部は、前記本体の両端から一対突設され、前記係止部は、一方の軸部だけに設けられている、請求項４に記載の水位検出装置。
【請求項６】
前記フロートの前記本体は、前記軸部の軸線に沿って見て前記本体の中心より前記軸部側に、前記下端から上向きに窪む凹部を備え、前記凹部内に空隙部が形成されている、請求項１乃至請求項５のいずれか１項に記載の水位検出装置。
【請求項７】
吸込口と吹出口とを有する処理空気経路と、
前記吸込口から前記処理空気経路内に処理空気を取り入れて前記吹出口から吐出する第１送風手段と、
閉経路からなる再生空気経路と、
前記再生空気経路内の再生空気を循環させる第２送風手段と、
前記処理空気経路と前記再生空気通路とに跨がって回転可能に配置され、前記処理空気経路で前記処理空気から水分を吸着するとともに、前記再生空気経路で前記再生空気に水分を回収させる除湿ロータと、
前記再生空気経路内に配置され、前記再生空気を加熱する加熱手段と、
前記再生空気経路の一部を構成するとともに前記処理空気経路中に配置され、前記処理空気と前記再生空気とを熱交換させて前記再生空気を冷却する熱交換器と、
前記処理空気経路及び前記再生空気経路を設けるとともに、前記第１送風手段、前記第２送風手段、前記除湿ロータ及び前記熱交換器を配置した機器本体と、
前記機器本体に配置され、前記熱交換器内で凝縮した水を貯留する貯水タンクと、
前記貯水タンクの軸受部に回動可能に配置された軸部と、前記貯水タンク内の水位の上昇に従って前記軸部を中心に基準姿勢から第１回動方向に回動する本体とを有するフロートと、
前記フロートの前記第１回動方向への回動により前記貯水タンク内の水位を検出する検出手段とを備え、
前記フロートの前記軸部は、前記基準姿勢で前記第１回動方向と逆向きの第２回動方向に回動するように前記本体から突設されるとともに、前記フロートの前記本体は、前記貯水タンクに取り付けた前記基準姿勢で下端縁が前記貯水タンク内に貯留された水の水面と平行に位置するように設けられ、
前記機器本体、前記貯水タンク、及び前記フロートのうち少なくとも１つに、前記フロートの前記本体が前記基準姿勢から前記第２回動方向へ回動することを規制する規制部が設けられている、除湿機。
【発明の詳細な説明】
【技術分野】
【０００１】
本発明は、水位検出装置及び水位検出装置を備える除湿機に関する。
【背景技術】
【０００２】
特許文献１には、除湿機又は加湿器に用いられる水位検出装置が開示されている。この水位検出装置は、貯水タンクに回動可能に配置したフロートと、フロートの回動位置を検出する検出手段とを備える。フロートは、貯水タンクに回動可能に配置するための軸部と、水位に従って回動する本体とを備える。貯水タンクの底面に対向する本体の下端縁は、本体が着水していない状態の基準姿勢で貯水タンクの底面に対して傾斜するカット面が設けられている。このカット面の最下端部は、水位の上昇に伴ってフロートを回動させる方向に配置されている。
【０００３】
特許文献１の水位検出装置は、カット面によりフロートを設定した第１回動方向に回動させることができる。しかし、機器が斜めに傾いた姿勢で設置されると、フロートと検出手段との設定位置が変わるため、誤作動の可能性がある。詳しくは、機器が傾斜した姿勢状態で設置されると、フロートに配置した磁石と、機器本体に設置した固定式のホール素子の間に位置ズレが生じるため、誤作動（水漏れ）の可能性がある。
【先行技術文献】
【特許文献】
【０００４】
【特許文献１】特許第３９５２９６９号公報
【発明の概要】
【発明が解決しようとする課題】
【０００５】
本発明は、フロートの誤動作を防止すること課題とする。
【課題を解決するための手段】
【０００６】
本発明は、機器本体に設けた貯水タンク内の水位を検出する水位検出装置であって、前記貯水タンク内に設けた軸受部と、前記軸受部に回動可能に配置された軸部と、前記貯水タンク内の水位の上昇に従って前記軸部を中心に基準姿勢から第１回動方向に回動する本体とを有するフロートと、前記フロートの前記第１回動方向への回動により前記貯水タンク内の水位を検出する検出手段とを備え、前記フロートの前記軸部は、前記基準姿勢で前記第１回動方向と逆向きの第２回動方向に回動するように前記本体から突設されるとともに、前記フロートの前記本体は、前記貯水タンクに取り付けた前記基準姿勢で下端縁が前記貯水タンク内に貯留された水の水面と平行に位置するように設けられ、前記機器本体、前記貯水タンク、及び前記フロートのうち少なくとも１つに、前記フロートの前記本体が前記基準姿勢から前記第２回動方向へ回動することを規制する規制部が設けられている水位検出装置を提供する。
【０００７】
この水位検出装置は、水位の上昇に伴って本体が回動する第１回動方向と逆向きの第２回動方向に回動するように軸部を偏心した位置に設けているため、本体を規制部に当接させた基準姿勢で確実に装着できる。即ち、フロートの本体は、自重で規制部に当接した状態に維持される。よって、水位検出装置を搭載した機器が傾いた姿勢で設置されても、フロートが回動することを抑制できる。そのため、フロートと検出手段との間に位置ズレが生じることを抑制できるため、水位検知に関する誤動作を防止できる。また、貯水タンクを機器に装着する際にフロートが揺動し難いため、デザイン性及び作業性を向上できる。しかも、フロートは、基準姿勢で下端縁が水面と平行に位置するため、デザイン性を更に向上できる。また、本体の偏心位置に軸部が設けられているため、軸受部に対して左右逆向きに軸部を装着した場合、本体の下端縁が傾斜した状態になる。よって、フロートの誤装着（逆付け）を防止できる。
【０００８】
前記規制部は、前記貯水タンクに設けた規制壁である。詳しくは、前記規制壁は、前記軸受部に一体に設けられている。このようにすれば、簡単かつ確実にフロートを基準姿勢に規制できる。
【０００９】
また、前記規制部は、前記フロートの前記軸部に設けられた係止部と、前記軸受部に設けられ前記基準姿勢で前記係止部に係止する係止受部とを有する。このようにしても、確実にフロートを基準姿勢に規制できる。詳しくは、前記フロートの前記軸部は、前記本体の両端から一対突設され、前記係止部は、一方の軸部だけに設けられている。このようにすれば、フロートを逆方向に取り付けることを防止できる。
【００１０】
前記フロートの前記本体は、前記軸部の軸線に沿って見て前記本体の中心より前記軸部側に、前記下端から上向きに窪む凹部を備え、前記凹部内に空隙部が形成されている。このようにすれば、本体は、凹部が設けられていない第１回動方向側が先に着水し、浮力が生じる。よって、確実に第１回動方向へ回動させることができる。
【００１１】
また、本発明は、吸込口と吹出口とを有する処理空気経路と、前記吸込口から前記処理空気経路内に処理空気を取り入れて前記吹出口から吐出する第１送風手段と、閉経路からなる再生空気経路と、前記再生空気経路内の再生空気を循環させる第２送風手段と、前記処理空気経路と前記再生空気通路とに跨がって回転可能に配置され、前記処理空気経路で前記処理空気から水分を吸着するとともに、前記再生空気経路で前記再生空気に水分を回収させる除湿ロータと、前記再生空気経路内に配置され、前記再生空気を加熱する加熱手段と、前記再生空気経路の一部を構成するとともに前記処理空気経路中に配置され、前記処理空気と前記再生空気とを熱交換させて前記再生空気を冷却する熱交換器と、前記処理空気経路及び前記再生空気経路を設けるとともに、前記第１送風手段、前記第２送風手段、前記除湿ロータ及び前記熱交換器を配置した機器本体と、前記機器本体に配置され、前記熱交換器内で凝縮した水を貯留する貯水タンクと、前記貯水タンクの軸受部に回動可能に配置された軸部と、前記貯水タンク内の水位の上昇に従って前記軸部を中心に基準姿勢から第１回動方向に回動する本体とを有するフロートと、前記フロートの前記第１回動方向への回動により前記貯水タンク内の水位を検出する検出手段とを備え、前記フロートの前記軸部は、前記基準姿勢で前記第１回動方向と逆向きの第２回動方向に回動するように前記本体から突設されるとともに、前記フロートの前記本体は、前記貯水タンクに取り付けた前記基準姿勢で下端縁が前記貯水タンク内に貯留された水の水面と平行に位置するように設けられ、前記機器本体、前記貯水タンク、及び前記フロートのうち少なくとも１つに、前記フロートの前記本体が前記基準姿勢から前記第２回動方向へ回動することを規制する規制部が設けられている除湿機を提供する。
【発明の効果】
【００１２】
本発明のフロートは、本体が回動する第１回動方向と逆向きの第２回動方向に回動するように軸部を設けているため、機器が傾いた姿勢で設置されても、フロートが回動することを抑制できる。よって、フロートと検出手段との間に位置ズレが生じることを抑制できるため、水位検知に関する誤動作を防止できる。また、貯水タンクを機器に装着する際にフロートが揺動し難いため、デザイン性及び作業性を向上できる。しかも、フロートは、基準姿勢で下端縁が水面と平行に位置するため、デザイン性を更に向上できる。また、本体の偏心位置に軸部が設けられているため、軸受部に対して左右逆向きに軸部を装着した場合、本体の下端縁が傾斜した状態になる。よって、フロートの誤装着を防止できる。
【図面の簡単な説明】
【００１３】
【図１】本発明の第１実施形態の除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６Ａ】図２の本体を正面側から見た分解斜視図。
【図６Ｂ】図２の本体を背面側から見た分解斜視図。
【図７】図２の貯水部の分解斜視図。
【図８】貯水タンクの平面図。
【図９Ａ】図８の貯水タンクのＩ−Ｉ線断面図。
【図９Ｂ】図８の貯水タンクのII−II線断面図。
【図１０】軸受部とフロートの分解斜視図。
【図１１Ａ】フロートの軸部を示す端面図。
【図１１Ｂ】フロートの断面図。
【図１１Ｃ】フロートの下方斜視図。
【図１２】貯水タンクを傾けた状態を示す断面図。
【発明を実施するための形態】
【００１４】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１５】
（実施形態）
図１から図３Ｂは本発明の実施形態に係る水位検出装置１０を用いた除湿機１を示す。図４は除湿機１の概念的な断面図である。図５は除湿機１のシステム図である。
【００１６】
（全体構成）
図１及び図２を参照すると、除湿機１は、円柱形状の外観を有し、本体１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００１７】
ヘッド部６００は、図１において本体１００の軸線Ｌを中心として回転可能な送風部６４０を備える。送風部６４０は、図１に示す初期位置を起点として、規制部材６８０回りを略±１８０度の範囲で、図１において周方向Ａに往復（首振り）回転できる。送風部６４０の吹出口６４２には可動式のルーバー６６０が配置されている。ルーバー６６０は、図１において上下方向Ｂの設定範囲で揺動できる。
【００１８】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（第１送風手段）４００と、再生空気を循環させるための再生空気ファン（第２送風手段）４５０とを備える。
【００１９】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００２０】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２１】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口１１２との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２２】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ吐出される。
【００２３】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２４】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００２５】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸湿）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。
【００２６】
（排水構造の詳細）
主熱交換器３００内で生じた水は、ベース１０１に形成した排水孔１０６を通して貯水部７００に排水される。副熱交換器３５０内で生じた水は、下部ヘッダ３８０に形成したドレン部３８２、及びベース１０１に形成した挿通孔１０８を通して貯水部７００に排水される。ダクト部材５００内で生じた水は、下部ヘッダ３８０のドレン部３８２を通して貯水部７００に排水される。
【００２７】
詳しくは、図６Ａ，Ｂに示すように、ベース１０１の立壁部１０３には、円形状のロータ配置部１０４が設けられている。ベース１０１は、ロータ配置部１０４の外周部に第１から第３の通気部１０５ａ〜１０５ｃを備える。第１通気部１０５ａは、図６Ａにおいて立壁部１０３の左側上部に形成されている。第１通気部１０５ａには、ヒータ２５０のヒータケース２６０と再生空気ファン４５０のファンケース４６０とを連通させるダクト部４６２が接続されている。第２通気部１０５ｂは、図６Ｂにおいて立壁部１０３の左側上部に形成されている。第２通気部１０５ｂには、副熱交換器３５０の下部ヘッダ３８０と主熱交換器３００の上部ヘッダ３２０とを連通させるダクト部材５００及び上部ヘッダ３２０のダクト部３２１が接続されている。第３通気部１０５ｃは、図６Ａにおいて立壁部１０３の右側下部に形成されている。第３通気部１０５ｃには、主熱交換器３００の下部ヘッダ３３０と再生空気ファン４５０のファンケース４６０とを連通させるダクト部３３１，４６１が接続されている。
【００２８】
図６Ａに示すように、ベース１０１の第３通気部１０５ｃには、基部１０２の下面側に貫通する排水孔１０６が設けられている。図６Ｂに示すように、ベース１０１の基部１０２の外装パネル１１０Ａ側には、主熱交換器３００のドレン部３３４を配置する挿通溝１０７が設けられている。図６Ａに示すように、ベース１０１の基部１０２の外装パネル１１０Ｂ側には、副熱交換器３５０のドレン部３８２を配置する挿通孔１０８が設けられている。
【００２９】
図４及び図６Ａ，Ｂに示すように、主熱交換器３００は樹脂製であり、多数のパイプ３１０と、上部ヘッダ３２０と、下部ヘッダ３３０とを備える。各パイプ３１０は、内部を再生空気が通過し、隣接するパイプ３１０，３１０間である外部を処理空気が通過する。上部ヘッダ３２０は、各パイプ３１０の上端に接続されている。上部ヘッダ３２０は、第２通気部１０５ｂに接続されるダクト部３２１を備える。下部ヘッダ３３０は、各パイプ３１０の下端に接続されている。下部ヘッダ３３０は、第３通気部１０５ｃに接続されるダクト部３３１を備える。
【００３０】
図６Ａに最も明瞭に示すように、下部ヘッダ３３０には、パイプ３１０の外面側に付着した水を受けるための縦壁（堰）３３２が設けられている。図６Ｂに示すように、下部ヘッダ３３０には、下部ヘッダ３３０上の水を排水するための排水部３３３が設けられている。図６Ａに示すように、排水部３３３は、挿通溝１０７を通して貯水部７００側へ配置されるドレン部３３４を備える。パイプ３１０の外面側に付着した水は、縦壁３３２で囲まれた下部ヘッダ３３０上に溜められ、排水部３３３及びドレン部３３４を通して貯水部７００へ排水される。
【００３１】
図４及び図６Ａ，Ｂに示すように、副熱交換器３５０は樹脂製であり、多数のパイプ３６０と、上部ヘッダ３７０と、下部ヘッダ３８０とを備える。各パイプ３６０は、内部を再生空気が通過し、隣接するパイプ３６０，３６０間である外部を処理空気が通過する。上部ヘッダ３７０は、各パイプ３６０の上端に接続されている。図６Ｂに最も明瞭に示すように、上部ヘッダ３７０は、ヒータケース２６０で加熱された再生空気が除湿ロータ２００を通して流入される流入口３７１を備える。下部ヘッダ３８０は、各パイプ３６０の下端に接続されている。図６Ａに最も明瞭に示すように、下部ヘッダ３８０は、除湿ロータ２００と反対側（外装パネル１１０Ｂ側）で開口するダクト部３８１を備える。
【００３２】
下部ヘッダ３８０には、副熱交換器３５０内で生じた水を排水するためのドレン部３８２が設けられている。ドレン部３８２は、挿通孔１０８を通して貯水部７００側へ配置されている。また、下部ヘッダ３８０には、パイプ３６０の外部で結露した水を受けるための縦壁（堰）３８３が設けられている。図６Ａに示すように、下部ヘッダ３８０には、縦壁３８３によって受けた水を排水するための排水部３８４が設けられている。パイプ３６０の外面側に付着した水は、縦壁３８３で囲まれた下部ヘッダ３８０上に溜められ、排水部３８４を通して挿通孔１０８の周囲に設けた凹部１０９に排水され、挿通孔１０８を通して貯水部７００側へ排水される。
【００３３】
図４及び図７に示すように、貯水部７００は、本体１００の下端に固定されるボトムベース７１０と、ボトムベース７１０に着脱可能に配置される貯水タンク７２０を備える。除湿機１は、本体１００のベース１０１に固定されるボトムベース７１０を含む構成が、機器本体である。
【００３４】
ボトムベース７１０は、貯水タンク７２０を外側から差し込んで配置するタンク差込部７１１を備える。図７に最も明瞭に示すように、ボトムベース７１０の上壁７１０ａには、本体１００から排出された水を貯水タンク７２０へ流す通水部７１２〜７１４が形成されている。第１通水部７１２は、第３通気部１０５ｃの排水孔１０６の下部に位置する。第２通水部７１３は、主熱交換器３００のドレン部３３４を挿通する挿通溝１０７の下部に位置する。第３通水部７１４は、副熱交換器３５０のドレン部３８２を挿通する挿通孔１０８の下部に位置する。
【００３５】
図４及び図７に示すように、貯水タンク７２０は、上端を開口した容器である。貯水タンク７２０の内部には、貯留した水位（貯水量）を検出するための一対のフロート７３０，７３０が配置されている。貯水タンク７２０の上端開口は、蓋７４０により閉塞されている。蓋７４０は、ボトムベース７１０の各通水部７１２〜７１４の下部に位置する排水受部７４１を備える。排水受部７４１には、貯水タンク７２０内に連通する排水孔７４２が設けられている。
【００３６】
（水位検出装置の詳細）
図４及び図７に示すように、水位検出装置１０は、貯水タンク７２０に配置され、貯水タンク７２０内に溜められた水の水位（水量）を検出する。水位検出装置１０は、貯水タンク７２０内に配置された前述のフロート７３０と、貯水タンク７２０外に配置された磁気センサ７６０とを備える。
【００３７】
図７から図９Ｂに示すように、フロート７３０は、貯水タンク７２０の底壁７２０ａに立設した一対の軸受部７２１Ａ，７２１Ｂ間に回動可能に配置されている。図９Ａ及び図１０に示すように、軸受部７２１Ａ，７２１Ｂは、平面視四角形状をなすように突出した基部７２２を備える。基部７２２には、軸受部７２１Ａ，７２１Ｂの対向する縁から上向きに突出する枠板７２３が設けられている。枠板７２３の外方には補強リブ７２４が設けられている。枠板７２３には、フロート７３０を回動可能に配置するための軸孔７２５Ａ，７２５Ｂが設けられている。図１０に最も明瞭に示すように、第１の軸受部７２１Ａ側の軸孔７２５Ａは、円形状の孔の内縁の一部から扇形状に突出する係止受部７２６を備える。第２の軸受部７２１Ｂ側の軸孔７２５Ｂは、円形状の孔である。第１軸孔７２５Ａと第２軸孔７２５Ｂは直径が異なり、第１軸孔７２５Ａの直径が第２軸孔７２５Ｂの直径より大きい。
【００３８】
図１０及び図１１Ａ，Ｂ，Ｃに示すように、フロート７３０は、水に着水することにより浮動する本体７３１を備える。図１１Ｂに最も明瞭に示すように、本体７３１は、内部に浮力を得るための発泡体７３２を備える。本体７３１の下端開口は、閉塞板７３３により覆われている。閉塞板７３３は、本体７３１の下端７３１ａに沿って延びる水平部７３３ａと、上向きに傾斜する傾斜部７３３ｂとを備える。この傾斜部７３３ｂにより、本体７３１の下端７３１ａから上向きに窪む凹部７３４が形成されている。また、この凹部７３４により、本体７３１の下端７３１ａとの間には三角柱状の空隙部７３４ａが形成されている。図１１Ｃに最も明瞭に示すように、閉塞板７３３には、内外にかけて貫通する複数（本実施形態では２行３列の６個）の貫通孔７３３ｃが設けられている。この貫通孔７３３ｃにより、空隙部７３４ａに空気が溜まることを防止し、浮力によるフロート７３０の回動に影響が及ぶことを防止している。
【００３９】
図１０及び図１１Ａ，Ｂに示すように、フロート７３０は、軸受部７２１Ａ，７２１Ｂの軸孔７２５Ａ，７２５Ｂに回動可能に配置される軸部７３５Ａ，７３５Ｂを備える。軸部７３５Ａ，７３５Ｂは、同一軸線上に位置するように、本体７３１の上面から膨出し、かつ、本体７３１の両端から突出するように設けられている。図９Ａ及び図１０に示すように、軸部７３５Ａは、係止受部７２６が係止可能な係止部７３６を備え、軸受部７２１Ａの軸孔７２５Ａに貫通されている。係止部７３６は、軸部７３５Ａと同心の扇形状の溝である。係止部７３６は、係止受部７２６が略９０度の扇形状であるのに対し、略１８０度の扇形状に形成されている。軸部７３５Ｂは、断面円形状の軸であり、軸受部７２１Ｂの軸孔７２５Ｂに貫通されている。
【００４０】
ここで、フロート７３０は、下端７３０ａが水平に位置する基準姿勢とした状態で水位が上昇すると、空隙部７３４ａの形成により水平部７３３ａ側が先に着水する。そうすると、水平部７３３ａ側に浮力が先に作用するため、図９Ｂ中矢印Ｃ１で示す第１回動方向に本体７３１は回動する。
【００４１】
図１１Ａ，Ｂに示すように、軸部７３５Ａ，７３５Ｂは、軸部７３５Ａ，７３５Ｂの軸線に沿って見て、無負荷の状態で本体７３１の下端７３１ａが水平に位置する幅方向の中心（重心）線Ｌｃからずれた偏心位置に設けられている。言い換えれば、軸部７３５Ａ，７３５Ｂは、無負荷の状態で本体７３１の下端７３１ａが水平に釣り合い、左右いずれの方向でも回転可能となる死点からずれた位置に設けられている。詳しくは、軸部７３５Ａ，７３５Ｂは、本体７３１に対して空隙部７３４ａ側に位置するように設けられている。このようにしたフロート７３０は、軸部７３５Ａ，７３５Ｂを中心として回動自在に垂下すると、基準姿勢で第１回動方向Ｃ１と逆向きの第２回動方向Ｃ２に回動した状態で釣り合う。
【００４２】
水位検出装置１０には、無負荷状態でフロート７３０が第２回動方向Ｃ２に回動することを規制し、基準姿勢に保持するための規制部７５０，７５１が設けられている。
【００４３】
図９Ｂ及び図１０に示すように、第１の規制部７５０は、貯水タンク７２０に設けた規制壁７２７である。規制壁７２７は、一対の軸受部７２１Ａ，７２１Ｂのうち、一方の軸受部７２１Ａに一体に設けられている。規制壁７２７に本体７３１の外周面が当接した状態で、下端７３１ａが貯水タンク７２０内に溜められた水の水面と平行に位置するように、規制壁７２７の形成位置及び軸受部７２１Ａの形成位置が設定されている。
【００４４】
図９Ａ及び図１０に示すように、第２の規制部７５１は、フロート７３０の軸部７３５Ａに設けた係止部７３６と、軸受部７２１Ａの軸孔７２５Ａに設けた係止受部７２６とで構成される。図９Ａに最も明瞭に示すように、係止部７３６において、第２回動方向Ｃ２後側の一端７３６ａは、本体７３１が基準姿勢で、係止受部７２６の一端７２６ａに係止するように設定されている。なお、係止部７３６の他端７３６ｂは、本体７３１が第１回動方向Ｃ１へ９０度回動した姿勢で、係止受部７２６の他端７２６ｂに係止するように設定されている。
【００４５】
図７及び図８に示すように、貯水タンク７２０にフロート７３０が一対配置されている。図８に最も明瞭に示すように、フロート７３０，７３０は、軸部７３５Ａ，７３５Ｂが互いに平行に延びるように配置されている。また、規制部７５０，７５１によって規制する第２回動方向Ｃ２を左右逆向きとし、基準姿勢から回動可能な第１回動方向Ｃ１も左右逆向きとしている。
【００４６】
図４及び図７に示すように、磁気センサ７６０は、貯水タンク７２０の満水を検出する検出手段本体部である。磁気センサ７６０は、フロート７３０に配置した磁石７６１の磁力を検出することで、フロート７３０の回動を検出する。磁気センサ７６０と磁石７６１とで、１個の検出手段を構成する。詳しくは、磁気センサ７６０は、各フロート７３０，７３０の上部に位置するように、機器本体であるボトムベース７１０の上壁７１０ａに配置されている。図１０及び図１１Ｂに示すように、フロート７３０の本体７３１の上部には、四角筒状に突出する突出部７３７が一体に設けられている。この突出部７３７の内部に磁石７６１が配置されている。突出部７３７には、閉塞板７３３の貫通孔７３３ｃから流入した空気を逃がす機能を兼ね備えるスリット７３７ａが形成されている。
【００４７】
磁気センサ７６０は、フロート７３０が基準姿勢に位置する場合、対向部に位置する磁石７６１の磁力を検出することができる。貯留タンク７２０内に水が溜まり、フロート７３０が着水すると、軸部７３５Ａ，７３５Ｂを中心としてフロート７３０が第１回動方向Ｃ１に回動する。フロート７３０の回動により磁石７６１の磁力を検出できなくなると、貯水タンク７２０内の水位が満水になったと検出できる。
【００４８】
このように、水位検出装置１０は、水位の上昇に伴って本体７３１が回動する第１回動方向Ｃ１と逆向きの第２回動方向Ｃ２に回動するように、軸部７３５Ａ，７３５Ｂを偏心した位置に設けている。そして、貯水タンク７２０及びフロート７３０には、フロート７３０を基準姿勢に規制する規制部７５０，７５１を設けている。そのため、フロート７３０の本体７３１は、自重で規制部７５０，７５１に当接した状態に維持される。よって、図１２に示すように、水位検出装置１０を搭載した除湿機１が傾いた姿勢で設置されても、一方のフロート７３０は回動することが阻止される。また、設定した第１回動方向Ｃ１と逆向きの第２回動方向Ｃ２に回動した状態になることはない。そのため、貯水タンク７２０に配置したフロート７３０と本体１００側に配置した磁気センサ７６０との間に位置ズレが生じることを抑制できる。よって、水位検知に関する誤動作を防止できる。
【００４９】
また、貯水タンク７２０を除湿機１のタンク差込部７１１に装着する際には、偏心位置から突設した軸部７３５Ａ，７３５Ｂにより、本体７３１が規制部７５０，７５１に圧接され、揺動し難いため、デザイン性及び作業性を向上できる。しかも、フロート７２０は、基準姿勢で下端７３１ａの縁が水面と平行に位置するため、デザイン性を更に向上できる。また、本体７３１の偏心位置に軸部７３５Ａ，７３５Ｂが設けられているため、軸受部７２１Ａ，７２１Ｂに対して左右逆向きに装着した場合、本体７３１の下端縁７３１ａが斜めに傾斜した状態になる。よって、フロート７２０の誤装着を防止できる。
【００５０】
また、第１の規制部７５０は、貯水タンク７２０に設けた規制壁７２７であるため、簡単かつ確実にフロート７３０を基準姿勢に規制できる。また、第２の規制部７５１は、フロート７３０の軸部７３５Ａに設けた係止部７３６と、軸受部７２１Ａに設けた係止受部７２６とからなるため、同様に、フロート７３０を基準姿勢に確実に規制できる。しかも、第２の規制部７５１は、一対の軸受部７２１Ａ，７２１Ｂ及び軸部７３５Ａ，７３５Ｂのうち、一方だけに設けているため、この構成からも、軸受部７２１Ａ，７２１Ｂに対してフロート７３０を左右逆向きに装着することも防止できる。
【００５１】
なお、本発明の水位検出装置は、前記実施形態の構成に限定されず、種々の変更が可能である。
【００５２】
例えば、前記実施形態では、一対のフロート７３０，７３０を互いの軸部７３５Ａ，７３５Ｂが平行に延びるように配置したが、交差する方向に延びるように配置してもよい。即ち、磁気センサ７６０により検出するための第１回動方向Ｃ１を同一にしなければ、その配置は希望に応じて変更が可能である、また、フロート７３０は、一対配置する構成に限らず、１個だけ配置してもよいし、３以上配置してもよい。
【００５３】
また、一対の規制部７５０，７５１を設けたが、いずれか一方だけ設けてもよい。また、フロート７３０が第２回動方向Ｃ２へ回動することを規制する規制部は、機器本体を構成するボトムベース７１０に設けてもよい。ボトムベース７１０に設ける場合、規制部７５０のような規制壁で構成することが好ましい。即ち、規制部は、水位の上昇に伴って回動する方向と逆の第２回動方向Ｃ２の回動を規制できる構成であれば、位置や構成は希望に応じて変更が可能である。
【００５４】
また、フロート７３０の本体７３１は、発泡体７３２と閉塞板７３３を備える構成としたが、水に浮動する構成であれば、希望に応じて変更が可能である。また、本体７３１には、傾斜部７３３ｂを有する別体の閉塞板７３３に配置することにより上向きに窪む凹部７３４を設け、凹部７３４の内部に空隙部７３４ａを形成したが、空隙部７３４ａを形成する構成は種々の変更が可能である。例えば、斜めに延びる傾斜部７３３ｂの代わりに、水平部７３３ａに対して直交方向に延びる第１壁と、第１壁に対して直交方向に延びる第２壁を設けることで、凹部７３４及び空隙部７３４ａを設けてもよい。また、本体７３１の下端に底壁を一体に形成し、この底壁に凹部７３４を一体に形成してもよい。
【００５５】
また、前記実施形態では、本発明の水位検出装置１０を除湿機１に適用したが、貯水タンクに所定量の水を溜める必要がある機器（例えば加湿器）であれば、同様に適用可能であり、同様の作用及び効果を得ることができる。また、前記実施形態では、着脱可能な貯水タンク７２０に本発明の水位検出装置１０を適用したが、着脱不可能な固定式の貯水タンクにも適用可能であり、同様の作用及び効果を得ることができる。
【符号の説明】
【００５６】
１…除湿機
２…処理空気経路
２ａ〜２ｅ…処理空気経路の部分
３…再生空気経路
３ａ〜３ｅ…再生空気経路の部分
１０…水位検出装置
１００…本体（機器本体）
１０１…ベース
１０２…基部
１０３…立壁部
１０４…ロータ配置部
１０５ａ〜１０５ｃ…通気部
１０６…排水孔
１０７…挿通溝
１０８…挿通孔
１０９…凹部
１１０Ａ，１１０Ｂ…外装パネル
１１１Ａ，１１１Ｂ…補強パネル
１１２…吸込口
２００…除湿ロータ
２５０…ヒータ
２６０…ヒータケース
３００…主熱交換器
３１０…パイプ
３２０…上部ヘッダ
３２１…ダクト部
３３０…下部ヘッダ
３３１…ダクト部
３３２…縦壁
３３３…排水部
３３４…ドレン部
３５０…副熱交換器
３６０…パイプ
３７０…上部ヘッダ
３７１…流入口
３８０…下部ヘッダ
３８１…ダクト部
３８２…ドレン部
３８３…縦壁
３８４…排水部
４００…処理空気ファン
４１０…ファンケース
４１１…送出部
４５０…再生空気ファン
４６０…ファンケース
４６１…第１ダクト部
４６２…第２ダクト部
５００…ダクト部材
６００…ヘッド部（機器本体）
６４０…送風部
６４１…送風案内部
６４２…吹出口
６６０…ルーバー
６８０…規制部材
７００…貯水部
７１０…ボトムベース（機器本体）
７１０ａ…上壁
７１１…タンク差込部
７１２…第１排水孔
７１３…第２排水孔
７１４…第３排水孔
７２０…貯水タンク
７２０ａ…底壁
７２１Ａ，７２１Ｂ…軸受部
７２２…基部
７２３…枠板
７２４…補強リブ
７２５Ａ，７２５Ｂ…軸孔
７２６…係止受部
７２６ａ…一端
７２６ｂ…他端
７２７…規制壁
７３０…フロート
７３１…本体
７３１ａ…下端
７３２…発泡体
７３３…閉塞板
７３３ａ…水平部
７３３ｂ…傾斜部
７３３ｃ…貫通孔
７３４…凹部
７３４ａ…空隙部
７３５Ａ，７３５Ｂ…軸部
７３６…係止部
７３６ａ…一端
７３６ｂ…他端
７３７…突出部
７３７ａ…スリット
７４０…蓋
７４１…排水受部
７４２…排水孔
７５０…第１の規制部
７５１…第２の規制部
７６０…磁気センサ（検出手段）
７６１…磁石（検出手段）
Ｃ１…第１回動方向
Ｃ２…第２回動方向
【図１】
2016095239.tif 000003
【図２】
2016095239.tif 000004
【図３Ａ】
2016095239.tif 000005
【図３Ｂ】
2016095239.tif 000006
【図４】
2016095239.tif 000007
【図５】
2016095239.tif 000008
【図６Ａ】
2016095239.tif 000009
【図６Ｂ】
2016095239.tif 000010
【図７】
2016095239.tif 000011
【図８】
2016095239.tif 000012
【図９Ａ】
2016095239.tif 000013
【図９Ｂ】
2016095239.tif 000014
【図１０】
2016095239.tif 000015
【図１１Ａ】
2016095239.tif 000016
【図１１Ｂ】
2016095239.tif 000017
【図１１Ｃ】
2016095239.tif 000018
【図１２】
2016095239.tif 000019